(57)【要約】【課題】電気化学式センサの寿命を延長する。【解決手段】測定ガス供給管２０に対し切換弁ＳＶ１を介してエア供給管２２を接続し，排気管３０に対し第２切換弁ＳＶ２を介してエア排出管３２を接続し，制御部４０にて切換弁ＳＶ１，ＳＶ２を間欠的に切り換えて，間欠的に所定時間のみ電気化学式センサ１１へ測定ガスを含むあるいは含むことのある空気Ｇを導入し，他の時間は測定ガスを含まないエアＡを電気化学式センサ１１へ供給する。測定可能範囲上限のガス濃度が検知された場合には，切換弁ＳＶ１，ＳＶ２を強制的に切り換えて測定ガスを含まないエアＡを電気化学式センサ１１へ供給する。【選択図】図１
2006284400.tif 000002
【特許請求の範囲】
【請求項１】
感知極，対極，電解液，および隔膜を有し，測定ガスを隔膜を透過させて電解液に溶け込ませ，その溶け込んだ測定ガスによる酸化反応で生成された電子を感知極または対極での逆の還元反応で吸収させる電気化学式センサと，この電気化学式センサで生成された電子を電流信号として取り出し，増幅することで測定ガスのガス濃度に応じた電圧または電流信号に変換する電気回路とを有する検知部と，
ガス濃度測定対象である測定空間内の，前記測定ガスを含むあるいは含むことのある空気を前記電気化学式センサへ導入する測定ガス導入管と，
前記電気化学式センサから排出された，前記測定ガスを含むあるいは含むことのある空気を前記測定空間内へ戻す排気管と，
を備えた装置であって，
前記測定ガス供給管に対し切換弁を介して接続され，この切換弁がエア供給側に開かれているとき前記電気化学式センサへ前記測定ガスを含まないエアを供給するエア供給管と，
前記切換弁を間欠的に作動させて，間欠的に所定時間のみ前記電気化学式センサへ前記測定ガスを含むあるいは含むことのある空気を導入させ，他の時間は前記測定ガスを含まないエアを前記電気化学式センサへ供給させる制御部と，
を備えていることを特徴とする電気化学式ガス濃度測定装置。
【請求項２】
前記制御部は，前記検知部にて前記電気化学式センサによる測定可能範囲の上限値のガス濃度が検知されたとき，前記切換弁を強制的に切り換えて，前記電気化学式センサへ前記測定ガスを含まないエアを供給させる制御部であることを特徴とする請求項１記載の電気化学式ガス濃度測定装置。
【請求項３】
前記排気管には，前記切換弁とは別の第２切換弁を介してエア排出管が接続されているとともに，前記制御部は，前記切換弁により前記測定ガスを含まないエアを前記電気化学式センサへ供給させるときには，前記第２切換弁を前記エア排出管側へ切り換えて電気化学式センサからのエアを，前記測定空間以外の箇所に排出させる制御部であることを特徴とする請求項１または２記載の電気化学式ガス濃度測定装置。
【発明の詳細な説明】
【技術分野】
【０００１】
本発明は，電気化学式ガス濃度測定装置に関するものである。
【背景技術】
【０００２】
電気化学式ガス濃度測定装置は，電気化学式センサと，この電気化学式センサで生成された電子を電流信号として取り出し，増幅することで測定ガスのガス濃度に応じた電圧または電流信号に変換する電気回路とを有する検知部を備えた装置である。
【０００３】
図２（ａ）は電気化学式センサ（定電位電解のセンサ）の原理図，（ｂ）は同センサを用いた検知部の回路図である。
図２（ａ）に示すように，電気化学式センサ（以下単にセンサともいう）１１は，感知極Ｓ，対極Ｃ，参照極Ｒ，電解液Ｅ，および隔膜Ｍを有している。このセンサ１１に対し，測定ガスＧを，隔膜Ｍに接触させるように導入すると，感知極Ｓ（または対極Ｃ）では，隔膜Ｍを透過し電解液Ｅに溶け込んだ測定ガスＧによる酸化反応による電子の生成がおこり，対極Ｃ（または感知極Ｓ）では逆の還元反応による電子の吸収がおこる。
これを硫化水素の場合を例にとれば下記の式で表せる。
感知極Ｓでの反応：Ｈ２Ｓ＋４Ｈ２Ｏ→Ｈ２ＳＯ４＋８Ｈ＋＋８ｅ−
対極Ｃでの反応：２Ｏ２＋８Ｈ＋＋８ｅ−→４Ｈ２Ｏ
なお，感知極での酸化反応，対極での還元反応は測定ガスによっては逆になることがある。
このような電子の生成を，例えば図２（ｂ）に示すような電気回路を有する検知部１０を用いて電流信号として取り出し，増幅することで測定ガスＧのガス濃度に応じた電圧または電流信号に変換し，メーター（図示せず）により濃度を表示させることができる。
【０００４】
電気化学式ガス濃度測定装置のうち，例えば硫化水素濃度計はＪＩＳ  Ｔ  ８２０５（非特許文献１）に規定されているように下水管等の環境を監視する目的で使用されるが，センサとしてはその原理が選択性に優れた電気化学式(定電位電解式)のセンサを用いることが一般的であるとされ，測定範囲も０〜３０ｐｐｍが一般的であるとされている。
【非特許文献１】ＪＩＳ  Ｔ  ８２０５
【発明の開示】
【発明が解決しようとする課題】
【０００５】
例えば，下水管内部でのガス（硫化水素）の濃度は時に数百ｐｐｍを超えることから，上述した一般的な測定範囲の測定器を用いると，センサが高濃度ガスに暴露され，短時間でセンサの寿命が尽きてしまうという問題がある。寿命が尽きる原因は，電気化学式センサの電解液に測定ガスが溶け込むことで電解液の性質が変化することによる。
電解液の量を無限にする，あるいは常に新鮮な電解液を補給する等の手段を講ずればセンサの寿命延長を図ることはできると考えられるが，そのような手段を講ずることは実用的ではない。電解液の量を無限にすることは不可能であるし，電解液の量を大幅に増量するにしてもその場合にはセンサが大型化してしまうからである。また，常に新鮮な電解液を補給しようとすれば，装置が著しく複雑化するばかりでなく，電解液が流動することによって，ガス濃度測定の精度が低下するおそれも生じるからである。
この発明の目的は，以上のような問題を解決し，電気化学式センサの寿命を延長することができる，電気化学式ガス濃度測定装置を提供することにある。
【課題を解決するための手段】
【０００６】
上記目的を達成するために，本発明の電気化学式ガス濃度測定装置は，電気化学式センサに対し，間欠的に測定ガス（より正確には測定ガス（例えば硫化水素）を含むあるいは含むことのある空気）を導入し，他の時間は測定ガスを含まない空気を供給することにより，電気化学式センサの電解液に測定ガスが接触する総体時間を短縮することによって電気化学式センサの寿命を延長することを特徴とする。
より詳しくは，
請求項１記載の電気化学式ガス濃度測定装置は，感知極，対極，電解液，および隔膜を有し，測定ガスを隔膜を透過させて電解液に溶け込ませ，その溶け込んだ測定ガスによる酸化反応で生成された電子を感知極または対極での逆の還元反応で吸収させる電気化学式センサと，この電気化学式センサで生成された電子を電流信号として取り出し，増幅することで測定ガスのガス濃度に応じた電圧または電流信号に変換する電気回路とを有する検知部と，
ガス濃度測定対象である測定空間内の，前記測定ガスを含むあるいは含むことのある空気を前記電気化学式センサへ導入する測定ガス導入管と，
前記電気化学式センサから排出された，前記測定ガスを含むあるいは含むことのある空気を前記測定空間内へ戻す排気管と，
を備えた装置であって，
前記測定ガス供給管に対し切換弁を介して接続され，この切換弁がエア供給側に開かれているとき前記電気化学式センサへ前記測定ガスを含まないエアを供給するエア供給管と，
前記切換弁を間欠的に作動させて，間欠的に所定時間のみ前記電気化学式センサへ前記測定ガスを含むあるいは含むことのある空気を導入させ，他の時間は前記測定ガスを含まないエアを前記電気化学式センサへ供給させる制御部と，
を備えていることを特徴とする。
このような構成によれば，制御部による切換弁の作動で，間欠的に所定時間のみ前記電気化学式センサへ前記測定ガスを含むあるいは含むことのある空気が導入され，他の時間は前記測定ガスを含まないエアが前記電気化学式センサへ供給されることとなるので，電気化学式センサの電解液に測定ガスが接触する総体時間が短縮して，電気化学式センサの寿命が延びることとなる。
望ましくは，前記制御部は，前記検知部にて前記電気化学式センサによる測定可能範囲の上限値のガス濃度が検知されたとき，前記切換弁を強制的に切り換えて，前記電気化学式センサへ前記測定ガスを含まないエアを供給させる構成とする。
このように構成すれば，高濃度ガスが電気化学式センサの電解液に接触する時間を極力短くすることができ，より確実に電気化学式センサの寿命を延ばすことができる。
また望ましくは，前記排気管には，前記切換弁とは別の第２切換弁を介してエア排出管を接続するとともに，前記制御部は，前記切換弁により前記測定ガスを含まないエアを前記電気化学式センサへ供給させるときには，前記第２切換弁を前記エア排出管側へ切り換えて電気化学式センサからのエアを，前記測定空間以外の箇所に排出させる構成とする。
このように構成すれば，前記測定空間内へ測定ガスを含まないエアが入り込むことによる当該測定空間内における測定ガス濃度低下を防止することができ，確実なガス濃度測定を行うことができる。
【発明を実施するための最良の形態】
【０００７】
以下本発明の一実施の形態について図面を参照して説明する。
図１は，本発明に係る電気化学式ガス濃度測定装置の一実施の形態を示す配管及び回路図である。
【０００８】
同図に示すように，この電気化学式ガス濃度測定装置１は，電気化学式センサ１１と，この電気化学式センサ１１で生成された電子を電流信号として取り出し，増幅することで測定ガスＧのガス濃度に応じた電圧または電流信号に変換する電気回路とを有する検知部１０と，
ガス濃度測定対象である測定空間ＳＰ内の，前記測定ガスＧを含むあるいは含むことのある空気（Ｇ）を前記電気化学式センサ１１へ導入する測定ガス導入管２０と，
前記電気化学式センサ１１から排出された，前記測定ガスＧを含むあるいは含むことのある空気を前記測定空間ＳＰ内へ戻す排気管３０と，
前記測定ガス供給管２０に対し第１切換弁ＳＶ１を介して接続され，この第１切換弁ＳＶ１がエア供給側に開かれているとき前記電気化学式センサ１１へ前記測定ガスＧを含まないエアＡを供給するエア供給管２２と，
前記第１切換弁ＳＶ１を間欠的に作動させて，間欠的に所定時間のみ前記電気化学式センサ１１へ前記測定ガスＧを含むあるいは含むことのある空気（Ｇ）を導入させ，他の時間は前記測定ガスＧを含まないエアＡを前記電気化学式センサ１１へ供給させる制御部４０とを備えている。
【０００９】
この実施の形態の電気化学式ガス濃度測定装置１は測定ガスとして硫化水素の濃度を測定する装置であり，電気化学式センサ１１は，図２（ａ）を参照して先に説明したセンサで構成されている。また，検知部１０も図２（ｂ）に示した電気回路を有している。
【００１０】
測定ガス導入管２０は，その一端が電気化学式センサ１１に接続され（図２（ｂ）参照），他端には，上記第１切換弁ＳＶ１を介してガス取り入れ管２３と上記エア供給管２２とが接続されている。
ガス取り入れ管２３のガス取り入れ口２３ａは，上記測定空間（例えば下水管）ＳＰ内に開口している。エア供給管２２のエア取り入れ口２２ａは，測定空間ＳＰとは隔絶されていて測定ガスＧを含まない空間に開口している。
第１切換弁ＳＶ１は三方電磁弁で構成されている。
したがって，第１切換弁ＳＶ１がガス取り入れ管２３側に切り替わっているとき，後述するポンプＰの吸引作用で，電気化学式センサ１１には，測定空間ＳＰからの，測定ガスＧを含むあるいは含むことのある空気（Ｇ）（以下単に測定ガスＧともいう）が導入され，第１切換弁ＳＶ１がエア供給管２２側に切り替わっているときには，電気化学式センサ１１には，測定ガスＧを含まないエアＡが供給される。
【００１１】
排気管３０は，その一端が電気化学式センサ１１に接続され（図２（ｂ）参照），他端には，上記第１切換弁ＳＶ１とは別の第２切換弁ＳＶ２を介してガス排出管３３とエア排出管３２とが接続されている。排気管３０にはポンプＰが介装されている。
ガス排出管３３のガス排出口３３ａは，上記測定空間（例えば下水管）ＳＰ内に開口している。エア排出管３２のエア排出口３２ａは，測定空間ＳＰとは隔絶された空間に開口している。
第２切換弁ＳＶ２は三方電磁弁で構成されている。
したがって，第２切換弁ＳＶ２がガス排出管３３側に切り替わっているとき，ポンプＰの作用で，電気化学式センサ１１からの測定ガスＧは測定空間ＳＰへ排出され，第２切換弁ＳＶ２がエア排出管３２側に切り替わっているときには，電気化学式センサ１１からのエアＡは，測定空間ＳＰと隔絶された空間へ排出される。
【００１２】
なお，図中，「Ｂｙｐａｓｓ  Ｎ．Ｖ」は，所定流量よりも大きな吸引流量を有するポンプＰにて吸引するときに電気化学式センサ１１へ所定流量を通気し，過大な分をバイパスさせるためのバイパスニードル弁，「Ｎ．Ｖ」および「Ｆ／Ｍ」は，電気化学式センサ１１への通気流量を調整・確認するための二一ドル弁及び流量計，「Ａ／Ｆ」はエアフィルタである。
【００１３】
検知部１０は，伝送ループ信号線１２でデジタル指示警報計５０に接続されており，検知部１０にて検知されたガス濃度は，検知部１０で伝送ループ信号に変換され，デジタル指示警報計５０にて濃度表示並びに警報表示・出力が行われる。
【００１４】
より詳しくは，デジタル指示警報計５０は，検知部１０から得られるガス濃度値に応じてそれぞれ作動する第１，第２スイッチ５１，５２を有している。
第１スイッチ５１は，ガス濃度値が５ｐｐｍ以上になったときにＯＮするスイッチであり，この第１スイッチ５１がＯＮすると，第１アラーム信号ＡＬ１が出力される。
第２スイッチ５２は，ガス濃度値が１０ｐｐｍ以上になったときにＯＮするスイッチであり，この第２スイッチ５２がＯＮすると，第２アラーム信号ＡＬ２が出力される。
この実施の形態の電気化学式ガス濃度測定装置１には，例えば図示しない遠隔操作パネル（遠隔監視パネル）が接続されており，上記第１アラーム信号ＡＬ１が出力されると，遠隔操作パネルにおける，例えば第１アラームランプが点灯あるいは点滅し，および／または第１警報音が発せられる。また，上記第２アラーム信号ＡＬ２が出力されると，遠隔操作パネルにおける，例えば第２アラームランプが点灯あるいは点滅し，および／または第２警報音が発せられる。
【００１５】
デジタル指示警報計５０は，第３スイッチ５３を有している。第３スイッチ５３はこの電気化学式ガス濃度測定装置１に何らかの異常が生じたときにＯＮするスイッチであり，この第３スイッチ５３がＯＮすると，第３アラーム信号ＡＬ３が出力され，遠隔操作パネルにおける，例えば第３アラームランプが点灯あるいは点滅し，および／または第３警報音が発せられる。
なお，Ｔ２−１は後述する第２タイマＴ２と連動して作動するタイマスイッチであり，上記第１〜第３スイッチ５１〜５３の共通線に介装されている。また，５５は濃度測定値を上記遠隔操作パネル上でアナログ表示させるためのアナログ出力部であり，このアナログ出力部にも，後述する第２タイマＴ２と連動して作動するタイマスイッチＴ２−２が介装されている。
【００１６】
デジタル指示警報計５０は，第４スイッチ５４を有している。第４スイッチ５４は，電気化学式センサ１１による測定可能範囲の上限値（あるいはそれ以上）のガス濃度が検知されたときにＯＮするスイッチであり，この第４スイッチ５４がＯＮすると，第４アラーム信号ＡＬ４が，制御部４０へ出力される。
この実施の形態における電気化学式センサ１１による測定可能範囲の上限値のガス濃度は３０ｐｐｍである。
したがって，上記検知部１０にて得られるガス濃度値が３０ｐｐｍになったとき，第４スイッチ５４がＯＮして，第４アラーム信号ＡＬ４が制御部４０へ出力されることとなる。
【００１７】
制御部４０は，第１タイマＴ１と，この第１タイマＴ１により作動させられるタイマスイッチＴＳとを有している。タイマスイッチＴＳのＯＮ側には，前述した第１切換弁ＳＶ１，第２切換弁ＳＶ２が接続されている。
第１切換弁ＳＶ１は，タイマスイッチＴＳがＯＦＦのときエア供給管２２側に切り替わった状態となっており，タイマスイッチＴＳがＯＮするとガス取り入れ管２３側に切り替わる。
第２切換弁ＳＶ２は，タイマスイッチＴＳがＯＦＦのときエア排出管３２側に切り替わった状態となっており，タイマスイッチＴＳがＯＮするとガス排出管３３側に切り替わる。
【００１８】
第１タイマＴ１の設定時間は任意であるが，この実施の形態では，１分間ＯＮし（タイマスイッチＴＳをＯＮの状態とし），その後１４分間ＯＦＦし（タイマスイッチＴＳをＯＦＦの状態とし），という動作を繰り返すように設定されている。
したがって，検知部１０は，第１，第２切換弁ＳＶ１，ＳＶ２を間欠的に作動させて，間欠的に所定時間（この場合１分間）のみ電気化学式センサ１１へ測定ガスＧを導入させかつ電気化学式センサ１１からの測定ガスＧを測定空間ＳＰへ排出させ，他の時間（この場合１４分間）は測定ガスを含まないエアＡを電気化学式センサ１１へ供給させかつ電気化学式センサ１１からのエアＡを測定空間ＳＰ以外の箇所に排出させる。
【００１９】
前述したデジタル指示警報計５０における第４スイッチ５４がＯＮすることで制御部４０へ出力される第４アラーム信号ＡＬ４は，上記第１タイマＴ１を強制的にリセットすることでタイマスイッチＴＳをＯＦＦにする信号である。
したがって，上記検知部１０にて得られるガス濃度値が３０ｐｐｍになったときには，第１タイマＴ１の上述したＯＮ／ＯＦＦのサイクルにかかわらず，タイマスイッチＴＳがＯＦＦとなり，第１，第２切換弁ＳＶ１，ＳＶ２は上述した切換サイクルにかかわらず，強制的に，測定ガスを含まないエアＡを電気化学式センサ１１へ供給させかつ電気化学式センサ１１からのエアＡを測定空間ＳＰ以外の箇所に排出させる側に切り換えられることとなる。
【００２０】
図１において，２はこの装置１の電源スイッチ，３は前記制御部４０のための直流電源である。
Ｔ２は，制御部４０に設けられた第２タイマであり，電源スイッチ２がＯＮされた後，所定時間暖機運転をするためのタイマである。
第２タイマＴ２の設定時間は任意であるがこの実施の形態では１分間に設定してある。
電源スイッチ２がＯＮされると，装置１が作動を開始し，デジタル指示警報計５０を介して検知部１０も作動し，電気化学式センサ１１の各電極（Ｓ，Ｒ，Ｃ）に所定の電圧が印加させることとなるが，電気化学式センサ１１の各電極の電位は，所定時間（この実施の形態では約３０秒程度）不安定な状態となっているので，第２タイマＴ２の作動により，電源スイッチ２がＯＮされた後１分間はアラーム信号が出力されないようにする。すなわち，第２タイマＴ２と連動する前述したタイマスイッチＴ２−１は，電源スイッチ２がＯＮされても，その後１分間はＯＦＦとなっており，第１〜第３アラーム信号ＡＬ１〜ＡＬ３は出力されない。また，電源スイッチ２がＯＮされても，その後１分間は前述したタイマスイッチＴ２−２はＯＦＦとなっており，アナログ出力部５５からのアナログ信号も出力されない。
【００２１】
その他，図１において，Ｌ１は電源ランプ，Ｌ２は電気化学式センサ１１へエアＡが供給されていることを示すランプ，Ｌ３は電気化学式センサ１１へ測定ガスＧが供給されていることを示すランプ，Ｒ１は電気化学式センサ１１へ測定ガスＧが供給されていてガス濃度測定が行われていることを上記遠隔操作パネル上に表示させる示すリレーである。
【００２２】
以上のような電気化学式ガス濃度測定装置１の全体としての主な作動は次の通りである。
電源スイッチ２が投入されると，装置１が作動を開始する。すなわち，ポンプＰ，検知部１０，制御部４０，デジタル指示警報計５０がそれぞれ作動を開始する。ただし，上述したように，１分間は暖機運転がなされる。このとき第１タイマＴ１のタイマスイッチＴＳはＯＦＦしており，電気化学式センサ１１へはエアＡが供給される。
電源スイッチ２が投入されて１４分が経過すると，タイマスイッチＴＳがＯＮし，第１，第２切換弁ＳＶ１，ＳＶ２が切り替わって電気化学式センサ１１へ測定ガスＧが導入され，測定空間ＳＰ内のガス濃度が測定される。
測定開始から１分経過すると，タイマスイッチＴＳがＯＦＦし，第１，第２切換弁ＳＶ１，ＳＶ２が切り替わって電気化学式センサ１１へエアＡが供給され，電気化学式センサ１１内に残留している測定ガスＧが掃気される。
掃気（エアＡの供給）開始から１４分経過すると，タイマスイッチＴＳがＯＮし，第１，第２切換弁ＳＶ１，ＳＶ２が切り替わって電気化学式センサ１１へ測定ガスＧが導入され，測定空間ＳＰ内のガス濃度が測定される。
以上のような動作，すなわち，第１，第２切換弁ＳＶ１，ＳＶ２が間欠的に作動し，間欠的に所定時間（この場合１分間）のみ電気化学式センサ１１へ測定ガスＧを導入しかつ電気化学式センサ１１からの測定ガスＧを測定空間ＳＰへ排出し，他の時間（この場合１４分間）は測定ガスを含まないエアＡを電気化学式センサ１１へ供給しかつ電気化学式センサ１１からのエアＡを測定空間ＳＰ以外の箇所に排出する，という動作が繰り返される。
【００２３】
上記動作が繰り返される過程で，測定されたガス濃度値が５ｐｐｍ以上になると，第１アラーム信号ＡＬ１が出力され，ガス濃度値が１０ｐｐｍ以上になると，第２アラーム信号ＡＬ２が出力される。
また，ガス濃度値が３０ｐｐｍに達すると，第４スイッチ５４がＯＮして第４アラーム信号ＡＬ４が制御部４０へ出力され，第１タイマＴ１が強制的にリセットされてタイマスイッチＴＳがＯＦＦし，第１，第２切換弁ＳＶ１，ＳＶ２が上述した切換サイクルにかかわらず，強制的に，測定ガスを含まないエアＡを電気化学式センサ１１へ供給させる側に切り替わって，電気化学式センサ１１へはエアＡが供給されることとなる。
なお，装置１が稼働しているときに，何らかの異常が発生すると，第３アラーム信号ＡＬ３が出力される。
【００２４】
以上のような電気化学式ガス濃度測定装置１は，感知極Ｓ，対極Ｃ，電解液Ｅ，および隔膜Ｍを有し，測定ガスＧを隔膜を透過させて電解液Ｅに溶け込ませ，その溶け込んだ測定ガスによる酸化反応で生成された電子を対極Ｃでの逆の還元反応で吸収させる電気化学式センサ１１と，この電気化学式センサ１１で生成された電子を電流信号として取り出し，増幅することで測定ガスＧのガス濃度に応じた電圧または電流信号に変換する電気回路とを有する検知部１０と，
ガス濃度測定対象である測定空間ＳＰ内の，測定ガスＧを含むあるいは含むことのある空気（Ｇ）を電気化学式センサ１１へ導入する測定ガス導入管２０と，
電気化学式センサ１１から排出された，測定ガスＧを含むあるいは含むことのある空気（Ｇ）を測定空間ＳＰ内へ戻す排気管３０と，
測定ガス供給管２０に対し切換弁ＳＶ１を介して接続され，この切換弁ＳＶ１がエア供給側に開かれているとき電気化学式センサ１１へ測定ガスを含まないエアＡを供給するエア供給管２２と，
切換弁ＳＶ１を間欠的に作動させて，間欠的に所定時間のみ電気化学式センサ１１へ測定ガスＧを含むあるいは含むことのある空気（Ｇ）を導入させ，他の時間は測定ガスを含まないエアＡを電気化学式センサ１１へ供給させる制御部４０と，
を備えているので，制御部４０による切換弁ＳＶ１の作動で，間欠的に所定時間のみ電気化学式センサ１１へ測定ガスを含むあるいは含むことのある空気（Ｇ）が導入され，他の時間は測定ガスを含まないエアＡが電気化学式センサ１１へ供給される。
したがって，電気化学式センサ１１の電解液Ｅに測定ガスＧが接触する総体時間が短縮して，電気化学式センサ１１の寿命が延びることとなる。
なお，ポンプＰの作動をＯＮ／ＯＦＦして電気化学式センサ１１の電解液Ｅに測定ガスＧが接触する総体時間を短くしようとする試みは，電気化学式センサ１１内の測定ガスＧがエアＡで掃気されないので望ましいとはいえない。
【００２５】
また，制御部４０は，検知部１０にて電気化学式センサ１１による測定可能範囲の上限値のガス濃度が検知されたとき，切換弁ＳＶ１を強制的に切り換えて，電気化学式センサ１１へ測定ガスを含まないエアＡを供給させる構成としてあるので，高濃度ガスが電気化学式センサ１１の電解液Ｅに接触する時間を極力短くすることができる。
したがって，より確実に電気化学式センサ１１の寿命を延ばすことができる。
【００２６】
また，排気管３０には，切換弁ＳＶ１とは別の第２切換弁ＳＶ２を介してエア排出管３２を接続するとともに，制御部１０は，前記切換弁ＳＶ１により測定ガスを含まないエアＡを電気化学式センサ１１へ供給させるときには，第２切換弁ＳＶ２をエア排出管側３２へ切り換えて電気化学式センサ１１からのエアＡを，測定空間ＳＰ以外の箇所に排出させる構成としてあるので，測定空間ＳＰ内へ測定ガスを含まないエアＡが入り込むことによる当該測定空間ＳＰ内における測定ガス濃度低下を防止することができ，確実なガス濃度測定を行うことができる。
【００２７】
以上，本発明の実施の形態について説明したが，本発明は上記の実施の形態に限定されるものではなく，本発明の要旨の範囲内において適宜変形実施可能である。
【図面の簡単な説明】
【００２８】
【図１】本発明に係る電気化学式ガス濃度測定装置の一実施の形態を示す配管及び回路図。
【図２】（ａ）は電気化学式センサの原理図，（ｂ）は同センサを用いた検知部の回路図。
【符号の説明】
【００２９】
１    電気化学式ガス濃度測定装置
１０    検知部
１１    電気化学式センサ
Ｓ    感知極
Ｃ    対極
Ｅ    電解液
Ｍ    隔膜
ＳＰ    測定空間
２０    測定ガス導入管
２２    エア供給管
３０    排気管
３２    エア排出管
ＳＶ１  第１切換弁（切換弁）
ＳＶ２  第２切換弁
４０    制御部
【図１】
2006284400.tif 000003
【図２】
2006284400.tif 000004